(57)【要約】      （修正有）【課題】既存の衣類等の中でもスライドファスナーのエレメント列のような帯状物を縁部又は単独に備えるものを取付対象として定めた上で、帯状物に対して着脱自在であり、単体としても使用可能である連結具、及び複数の連結具により一揃えとなる留め具を提供する。【解決手段】連結具は、磁石吸着方式、嵌合方式、及び面ファスナー方式のうち何れかの方式の一体である係止体４と、係止体を保有する連結部材３とを備える。連結部材は、帯状物に着脱可能な帯状物取付部３０と、係止体を保有する係止体保有部４０とを一体成型したものである。帯状物取付部は、帯状物を一時的に通過させる第一溝３３ａと、帯状物を収容する第二溝３３ｂとを有し、第一溝と第二溝は連通し、且つ長さ方向に貫通しており、第一溝の溝幅を第二溝よりも狭くしてある。【選択図】図１
0003181331.tif 000002
【実用新案登録請求の範囲】
【請求項１】
二体の磁石吸着体（４、４）による磁石吸着方式、雄体（４ａ、４ｃ）と雌体（４ｂ、４ｄ）による嵌合方式、及びフック体（４ｅ）とループ体又は二体のフック体（４ｅ）による面ファスナー方式のうち何れかの方式の一体である係止体（４、４ａ〜４ｅ）と、係止体（４、４ａ〜４ｅ）を保有する連結部材（３）とを備え、
連結部材（３）は、帯状物（５、８２ｂ、９４ａ）に着脱可能な帯状物取付部（３０、３０ａ、３０ｂ）と、係止体（４、４ａ〜４ｅ）を保有する係止体保有部（４０、４０ａ）とを一体成型したもので、
帯状物取付部（３０、３０ａ、３０ｂ）は、帯状物（５、８２ｂ、９４ａ）を一時的に通過させる第一溝（３３ａ）と、帯状物（５、８２ｂ、９４ａ）を収容する第二溝（３３ｂ）とを有し、
第一溝（３３ａ）と第二溝（３３ｂ）は連通し、且つ長さ方向に貫通しており、
第一溝（３３ａ）の溝幅を第二溝（３３ｂ）よりも狭くしてある、ことを特徴とする連結具。
【請求項２】
磁石吸着体（４）と、磁石吸着体（４）を格納する連結部材（３）とを備え、
連結部材（３）は、スライドファスナー（９０）のファスナーストリンガー（９１）に着脱可能なストリンガー取付部（３０）と、磁石吸着体（４）を格納する吸着体格納部（４０）とを一体成型したもので、
ストリンガー取付部（３０）は、ファスナーテープ（９３）を収容する第一溝（３３ａ）と、エレメント（９４）を収容する第二溝（３３ｂ）とを有し、
第一溝（３３ａ）と第二溝（３３ｂ）は連通し、且つ長さ方向に貫通しており、
第一溝（３３ａ）の溝幅を第二溝（３３ｂ）よりも狭くしてある、ことを特徴とする連結具。
【請求項３】
ストリンガー取付部（３０）は、長さ方向に貫通する溝（３３）を有する務歯ケース（３１）と、溝（３３）の入口側における溝幅方向の両外側部位において務歯ケース（３１）から溝幅を狭める方向へ突出する一対の内鍔（３２、３２）とを備え、
一対の内鍔（３２、３２）によって狭められた溝（３３）は、入口側を第一溝（３３ａ）とし、奥側を第二溝（３３ｂ）とするものであり、
各内鍔（３２）は、務歯ケース（３１）から溝幅を狭める方向へ突出する突部を、溝（３３）の長さ方向に沿って間隔をあけて複数設けていることを特徴とする請求項２記載の連結具。
【請求項４】
吸着体格納部（４０）は、磁石吸着体（４）を挿入する口部を備える格納箱（４１）と、口部を狭めると共に磁石吸着体（４）を離脱不能に保持する爪（４４）を有することを特徴とする請求項２又は３記載の連結具。
【請求項５】
ストリンガー取付部（３０）と吸着体格納部（４０）とは重なり合う位置関係にあり、  吸着体格納部（４０）の格納箱（４１）は、四辺部（４２ａ、４２ｂ、４２ｃ、４２ｄ）より構成される断面矩形の角筒（４２）と、角筒（４２）の一端を閉鎖する閉鎖片（４３）とを備え、
連結部材（３）は、前記四辺部（４２ａ、４２ｂ、４２ｃ、４２ｄ）を外形の一部として含む矩形状のケースであって、前記重なり合う方向と交差する方向の一つの辺部（４２ｃ）側から溝（３３）を開口していることを特徴とする請求項４記載の連結具。
【請求項６】
連結部材（３）は樹脂製であることを特徴とする請求項１、２、３、４又は５記載の連結具。
【請求項７】
請求項５記載の連結具（２）を一揃えとして２つ有する留め具であって、
一方の連結具（２）の磁石吸着体（４）を第１の磁石とし、
他方の連結具（２）の磁石吸着体（４）を第２の磁石又は磁性体とし、
両方の連結具（２、２）は、幅方向に離隔している両ファスナーストリンガー（９１、９１）の互いのストリンガー取付部（３０、３０）に対して装着した場合に、互いの溝（３３、３３）の開口方向とは反対方向の辺部（４２ｄ、４２ｄ）側において対向し、
各ストリンガー取付部（３０、３０）に装着された両方の連結具（２、２）は、互いの磁石吸着体（４、４）同士によって留まった場合に、互いの溝（３３、３３）の開口方向の辺部（４２ｃ、４２ｃ）において吸着し合うことを特徴とする留め具。
【考案の詳細な説明】
【技術分野】
【０００１】
本考案は、細長い帯状物を備えるものを取付対象に用いる連結具、及び複数の連結具により一揃えとなる留め具に関する。
【背景技術】
【０００２】
従来、衣類の前立てや鞄の合せ目等に用いる留め具としては、例えば、二体の磁石吸着体による磁石吸着方式（特許文献１、２）、雄体と雌体による嵌合方式、及びフック体ループ体又は二体のフック体による面ファスナー方式のものが公知となっている。
【先行技術文献】
【特許文献】
【０００３】
【特許文献１】実開平５−７２９０１号公報
【特許文献２】実用新案登録３１６９７６８号公報
【考案の概要】
【考案が解決しようとする課題】
【０００４】
しかしながら、何れの方式も、連結具は、衣類等に固定されたもの、つまり、衣類等の一部であるので、後から簡単に取り外したり、取り付けたりできない。しかも、このように連結具の位置が固定していると、衣類等の所有者が自分の好みに合わせて位置を変更することが簡単にはできないので、意匠性に自由度が無いものといえる。その他にも、連結具の位置が固定していると、アイロンがけの邪魔になったり、洗濯等に対する耐久性を向上させたりしなければならない。特に、連結具に磁石吸着体を用いるものであれば、衣類等の洗濯等を繰り返すうちに、錆びることがあり、耐食性が良好ではない。
【０００５】
ところで、衣類等にはスライドファスナーが用いられることがある。スライドファスナーにおいてエレメントは、ファスナーテープの縁部に取り付けられており、ファスナーテープに対してその厚み方向両側に突出している。そこで、本発明者は、この突出しているエレメントを利用して、連結具を取り付けることに思い至った。
【０００６】
また、エレメントはファスナーテープの縁部に沿って間隔をあけて多数配置されており、それによってエレメント列を構成している。このエレメント列は、全体として細長い帯状物となっている。従って、長さについてはともかく、このような帯状物を縁部に有するものであれば、同じ要領で連結具を取り付けることができると考えられる。例えば、鞄の縁部にはパイピングテープと言われる帯状物が鞄本体に対して取り付けられたものが存在する。
【０００７】
さらに開閉用の留め具が商品の販売時点で既に付いている衣類や鞄等に限らず、留め具を有さないが帯状物を縁部に有する衣類等に対して留め具を付けることができれば、商品購入後に開閉機能を付加することができる。そればかりではなく、単独の帯状物からなる物体（例えばコード）を２つ用意し、この２つの帯状物に対して連結具をそれぞれ付ければ、２つの帯状物を一体化したり、分離したりすることもできる。
【０００８】
因みに、これまで説明してきた留め具の大半は、開閉機能を有するものであるため、複数（通常２つ）の連結具で一揃えとなるものであったが、この連結具を１つだけ帯状物に取り付けることにより、帯状物を縁部に有する衣類等や、単独の帯状物からなる物体の意匠的価値を高めることも可能となる。
【０００９】
本考案は、前記実情を考慮して創作されたものであり、既存の衣類等の中でもスライドファスナーのエレメント列のような帯状物を縁部又は単独に備えるものを取付対象として定めた上で、帯状物に対して着脱自在であり、単体としても使用可能である連結具、及び複数の連結具により一揃えとなる留め具を提供することを目的とする。
【課題を解決するための手段】
【００１０】
本考案は、帯状物を備えるものを取付対象とする連結具において、二体の磁石吸着体による磁石吸着方式、雄体と雌体による嵌合方式、及びフック体とループ体又は二体のフック体による面ファスナー方式のうち何れかの方式の一体である係止体と、係止体を保有する連結部材とを備え、連結部材は、帯状物に着脱可能な帯状物取付部と、係止体を保有する係止体保有部とを一体成型したもので、帯状物取付部は、帯状物を一時的に通過させる第一溝と、帯状物を収容する第二溝とを有し、第一溝と第二溝は連通し、且つ長さ方向に貫通しており、第一溝の溝幅を第二溝よりも狭くしてある、ことを特徴とする。
【００１１】
本考案の連結具において、スライドファスナーを取付対象とする場合は、次のようにする。
すなわち、連結具は、磁石吸着体と、磁石吸着体を格納する連結部材とを備え、連結部材は、スライドファスナーのファスナーストリンガーに着脱可能なストリンガー取付部と、磁石吸着体を格納する吸着体格納部とを一体成型したもので、ストリンガー取付部は、ファスナーテープを収容する第一溝と、エレメントを収容する第二溝とを有し、第一溝と第二溝は連通し、且つ長さ方向に貫通しており、第一溝の溝幅を第二溝よりも狭くしてある、ことを特徴とする連結具。
【００１２】
また、スライドファスナーを取付対象とする本考案の連結具のより具体的な構成としては、次のものが挙げられる。
すなわち、連結具において、ストリンガー取付部は、長さ方向に貫通する溝を有する務歯ケースと、溝の入口側における溝幅方向の両外側部位において務歯ケースから溝幅を狭める方向へ突出する一対の内鍔とを備え、一対の内鍔によって狭められた溝は、入口側を第一溝とし、奥側を第二溝とするものであり、各内鍔は、務歯ケースから溝幅を狭める方向へ突出する突部を、溝の長さ方向に沿って間隔をあけて複数設けていることである。
【００１３】
さらに、磁石吸着体と連結部材を別部品とし、磁石吸着体を連結部材に取付けることによって連結具を製作するには、次のようにすることが望ましい。
すなわち、連結具において、吸着体格納部は、磁石吸着体を挿入する口部を備える格納箱と、口部を狭めると共に磁石吸着体を離脱不能に保持する爪を有することである。
【００１４】
また、スライドファスナーを取付対象とする連結具のより具体的な構成としては次のものが挙げられる。
すなわち、ストリンガー取付部と吸着体格納部とは重なり合う位置関係にあり、吸着体格納部の格納箱は、四辺部より構成される断面矩形の角筒と、角筒の一端を閉鎖する閉鎖片とを備え、連結部材は、前記四辺部を外形の一部として含む矩形状のケースであって、前記重なり合う方向と交差する方向の一つの辺部側から溝を開口していることである。
【００１５】
また、連結具の手触りを良くするには、次のようにすることが望ましい。
すなわち、連結部材を樹脂製とする。
【００１６】
さらに、スライドファスナーを取付対象とする連結具を用いた留め具としては、次のものが挙げられる。
すなわち、連結具を一揃えとして２つ有する留め具であって、一方の連結具の磁石吸着体を第１の磁石とし、他方の連結具の磁石吸着体を第２の磁石又は磁性体とし、両方の連結具は、幅方向に離隔している両ファスナーストリンガーの互いのストリンガー取付部に対して装着した場合に、互いの溝の開口方向とは反対方向の辺部側において対向し、各ストリンガー取付部に装着された両方の連結具は、互いの磁石吸着体同士によって留まった場合に、互いの溝の開口方向の辺部において吸着し合うようにしたものである。
【考案の効果】
【００１７】
本考案の連結具によれば、帯状物を帯状物取付部の第一溝側から第二溝に挿入すれば、第二溝に帯状物を収容することができ、それによって連結具を帯状物に取り付けることができ、また逆にすれば取外すことができる。しかも、磁石吸着方式、ボタン方式、面ファスナー方式の何れかの方式の一体である係止体を備えているので、同方式の残りの一体である係止体を有する連結具とによって、留め具として用いることができる。また、帯状物に連結具を取り付けた上で、何れかの方式の一体である係止体に、同方式の残りの一体である係止体を単に取り付けた場合に、取付対象の意匠性を向上させることもできる。
【００１８】
また、スライドファスナーを取付対象とする本考案の連結具によれば、ストリンガー取付部の第一溝と第二溝が長さ方向に貫通しているので、ファスナーテープの端から第一溝と第二溝に差し込むようにすれば、これらの溝にスライドファスナーのエレメント及びファスナーテープを収容することができ、それによって連結具（連結部材）をファスナーテープに取り付けることができ、また、逆にすれば取外すことができる。従って、連結具を取外せば、スライドファスナーが付いた衣類等だけを洗うことができ、結果的に、連結具の耐食性を向上できる。しかも、第一溝の溝幅を第二溝よりも狭めてあるので、連結具がエレメントからファスナーテープの幅方向に外れ難いようになっている。そして、この連結具を複数使うことによって、磁石吸着体の性質により、連結具同士を吸着させることができる。
【００１９】
さらに、溝の入口側における溝幅方向の両外側部位に一対の内鍔を設けてある場合には、連結具がエレメントからファスナーテープの幅方向に一段と外れ難くなっている。しかも、各内鍔が複数の突部により構成されているので、ファスナーテープをその厚み方向の両側から複数箇所で押さえるような形態となる。
【００２０】
また、格納箱に収容された磁石吸着体を爪によって離脱不能に保持するようにすれば、連結具の製作が容易となる。
【００２１】
さらに、連結部材を樹脂製とすれば、連結具の手触りが良くなる。
【００２２】
また、連結具は、ストリンガー取付部と吸着体格納部とが重なり合うようにした上で、格納箱の四辺部を外形の一部として含む矩形状に形成し、その重なり合う方向と交差する方向の一つの辺部から溝を開口させるようにしておく。このような連結具を一揃えとして２つ有する留め具を用いれば、一対のファスナーストリンガーに装着した両方の連結具を、互いの磁石吸着体同士によって留める場合に、互いの溝の開口方向の辺部において吸着し合うことができ、留め具全体としての前記した重なり合う方向の寸法を小さくしつつ、一対のファスナーテープが部分的に幅方向に重なるようになりながら、衣類等を留められる。
【図面の簡単な説明】
【００２３】
【図１】本考案の第１実施形態の連結具を示す斜視図である。
【図２】（Ａ）（Ｂ）（Ｃ）図は、本考案の第１実施形態の連結具を示す正面図、左側面図、平面図である。
【図３】（Ａ）（Ｂ）（Ｃ）図は、図２のＡ−Ａ線断面図、Ｂ−Ｂ線断面図、Ｃ−Ｃ線断面図である。
【図４】（Ａ）（Ｂ）図は、本考案の第１実施形態の留め具を構成する連結具を衣類に装着した初期状態を示す正面図、Ｄ−Ｄ線断面図である。
【図５】（Ａ）（Ｂ）図は、本考案の第１実施形態の留め具により、一対のファスナーストリンガーの所定箇所を留めた状態を示す正面図、Ｅ−Ｅ線断面図である。
【図６】（Ａ）（Ｂ）図は、第１実施形態の連結具の第１の変形例を示す斜視図、左側面図である。
【図７】（Ａ）（Ｂ）図は、第１実施形態の連結具の第２の変形例を示す正面図、平面図である。
【図８】（Ａ）（Ｂ）図は、第１実施形態の連結具の第３の変形例を示す正面図、平面図である。
【図９】第１実施形態の連結具の第４の変形例を示す正面図である。
【図１０】第１実施形態の連結具の第５の変形例についての使用状態を示す断面図である。
【図１１】（Ａ）（Ｂ）（Ｃ）図は、第１実施形態の連結具の第６の変形例を示す斜視図、左側面図、平面図である。
【図１２】本考案の第２実施形態の留め具を示す断面図である。
【図１３】本考案の第３実施形態の留め具を示す断面図である。
【図１４】本考案の第４実施形態の留め具を衣類に装着した初期状態を示す正面図である。
【図１５】（Ａ）（Ｂ）図は、本考案の第４実施形態の留め具と第１実施形態の留め具を併用した状態を示す正面図、Ｆ−Ｆ線断面図である。
【図１６】本考案の第２実施形態の連結具、及び第５実施形態の留め具を示す断面図である。
【図１７】（Ａ）〜（Ｄ）図は、本考案の第３実施形態の連結具のうち雄体を含むもの、雌体を含むものを示す斜視図、及び第６実施形態の留め具の装着初期状態、留め状態を示す断面図である。
【図１８】（Ａ）（Ｂ）図は、本考案の第４実施形態の連結具及び第７実施形態の留め具の装着初期状態、第７実施形態の留め具の留め状態を示す断面図である。
【図１９】（Ａ）〜（Ｃ）図は、本考案の第５実施形態の連結具、第８実施形態の留め具の装着初期状態、第８実施形態の留め具の留め状態を示す断面図である。
【図２０】（Ａ）〜（Ｄ）図は、カバーを示す斜視図、正面図、左側面図、平面図である。
【図２１】（Ａ）（Ｂ）図は、カバー付きの連結具からなる留め具の装着初期状態を示す正面図、Ｈ−Ｈ線断面図である。
【図２２】（Ａ）（Ｂ）図は、カバー付きの連結具からなる留め具の留め状態を示す正面図、Ｉ−Ｉ線断面図である。
【図２３】（Ａ）〜（Ｄ）図は、鞄の蓋を連結具で留めた状態を示す正面図、Ｊ―Ｊ線拡大断面図、Ｊ−Ｊ線拡大断面図の一部拡大図、鞄に付けた連結具に他の磁石吸着体を装着した状態を示す断面図である。
【図２４】（Ａ）（Ｂ）図は、留め具により、一対のコードの所定箇所を留めた状態を示す正面図、Ｋ−Ｋ線断面図である。
【考案を実施するための形態】
【００２４】
本考案の留め具の取付対象として用いられる一例のスライドファスナー９０について、先に述べる。スライドファスナー９０は、図４に示すように、並列する一対のファスナーストリンガー９１、９１の対向する縁部に、スライダー９２を挿入したものである。そして、スライダー９２を一対のファスナーストリンガー９１、９１の長手方向の一方向に移動させることにより、一対のファスナーストリンガー９１、９１の対向する縁部を噛み合わせ、前記長手方向の反対方向に移動させることにより、一対のファスナーストリンガー９１、９１の噛み合わせを解放するものである。
【００２５】
一対のファスナーストリンガー９１、９１は、対向する一対のファスナーテープ９３、９３と、各ファスナーテープ９３の対向する縁部に沿って等間隔おきに固定された多数のエレメント９４と、各ファスナーテープ９３の対向する縁部であってエレメント９４の固定範囲に対して一方の外側（図での上側）に固定された上止め具９５と、エレメント９４の固定範囲に対して上止め具９５の反対側において一対のファスナーテープ９３、９３の対向する縁部に固定された下止め具９６と、を備えている。
【００２６】
各エレメント９４は、相手方のファスナーテープ（自身が固定されているファスナーテープ９３に対して対向するファスナーテープ９３（より詳しくは、対向するファスナーテープ９３の隣り合うエレメント９４の間の空間））へ向かって突出している。そして、各ファスナーテープ９３に設けられた全てのエレメント９４によって、エレメント列９４ａが構成され、対向する一対のエレメント列９４ａ、９４ａに跨った状態でスライダー９２が往復動可能となる。本考案の連結具の取付対象は、帯状物を備えるものであり、スライドファスナー９０では、このエレメント列９４ａが帯状物に相当する。
【００２７】
上止め具９５は、全体としてＵ字状に屈曲する板であって、各ファスナーテープ９３の対向する縁部を挟むようにして取り付けられ、スライダー９２が一対のエレメント列９４ａ、９４ａの上端から脱落することを防止する。
【００２８】
下止め具９６は、一対のファスナーテープ９３、９３の対向する縁部のうち、一方の下端部に設けられる蝶棒９６ａと、他方の下端部に設けられる箱棒９６ｂと、箱棒９６ｂの下端部からファスナーテープ９３の幅方向へ突出する箱体９６ｃとを備える。そして、箱体９６ｃには蝶棒９６ａを挿入する空間部（図示省略）が形成されている。
【００２９】
このようなスライドファスナー９０を取付対象の一例とする本考案の留め具は、連結具を基本的構成要素としている。そして、本考案の第１実施形態の連結具２は、図１〜図３に示すように、磁石吸着方式の一体の係止体としての磁石吸着体４と、係止体を保有する係止体保有部としての連結部材３とを備えている。
【００３０】
磁石吸着体４とは、磁石に吸着可能な磁性体であって、磁石（例えばネオジウム磁石のような永久磁石）、又は、磁化されていない磁性体（以下、「磁性体」と言う。一例としては鉄のように、磁化が可能なもの）である。そして、二体の磁石吸着体４、４により磁石吸着方式による連結が可能となる。また、磁石吸着体４は、図示の例では、矩形の角柱形状となっているが、その他の形状であっても良い。
【００３１】
連結部材３は、１つのファスナーストリンガー９１に着脱可能なストリンガー取付部３０と、磁石吸着体４を格納可能な吸着体格納部４０とを備え、双方が重なり合う位置関係にある。因みに、図示の例では、ストリンガー取付部３０と吸着体格納部４０とは、細長い形状であり、双方が互いの長手方向全長に亘って重なり合う位置関係にある。
なお、連結部材３は、樹脂製であって、例えばエラストマーやシリコン等の軟質材料（弾性体となる弾性材料を含む。）で一体成型された合成樹脂製である。
【００３２】
ストリンガー取付部３０は、より詳しく言えば、ファスナーストリンガー９１の帯状物であるエレメント列９４ａに着脱可能な帯状部取付部であって、長さ方向に貫通する溝３３を有する務歯ケース３１と、務歯ケース３１の溝３３の入口側における溝幅を狭める内鍔３２とを備えている。なお、溝３３の長さ方向は、連結具２を装着した状態でのファスナーテープ９３の長さ方向に相当する。
【００３３】
務歯ケース３１は、断面コ字状であって、コ字に囲まれた溝３３が吸着体格納部４０の重なり合う方向とは異なる方向へ（詳しくは前記した重なり合う方向に交差する方向（より詳しくは直交する方向））開口している。そして、務歯ケース３１の断面形状（コ字状）の両端部、言い換えれば溝３３の入口側における溝幅方向の両外側部位からその溝幅を狭める方向に内鍔３２がそれぞれ突出している。因みに、務歯ケース３１は、溝幅方向に対向する２つの側壁部３１ａ、３１ａと、２つの側壁部３１ａ、３１ａの一端部を接続する底壁部３１ｂとから構成される。
【００３４】
各内鍔３２は、複数の突部３２ａより構成され、務歯ケース３１のコ字状の各端部から、溝３３の長さ方向に沿って等間隔をおいて複数の突部３２ａが、内向きに突出している。
【００３５】
一対の内鍔３２を構成する突部３２ａ、３２ａは、全体として千鳥足状に配列されている。つまり、一方の内鍔３２の突部３２ａが、他方の内鍔３２における隣り合う突部３２ａと突部３２ａとの間の空間に位置するように配列してある。このため、溝３３の入口側の形状は、溝３３の長さ方向へ向かいながらジグザグに蛇行する形状となっている。また、一方の内鍔３２の突部３２ａの突出量と、他方の内鍔３２の突部３２ａの突出量は、双方を合わせても溝幅全長よりも短くなるように設定してあり、このため溝３３の入口側は、全体として蛇行する形状でありながらも、溝３３の長さ方向に一直線に通じる通路３３ｃが形成されている。
【００３６】
このような一対の内鍔３２によって狭められた溝３３の入口側が第一溝３３ａであって、ファスナーテープ９３の収容空間となり、溝３３の奥側が第二溝３３ｂであって、複数のエレメント９４の収容空間となる。つまり、連通する第一溝３３ａと第二溝３３ｂによって構成される溝３３がファスナーストリンガー９１の収容空間となる。そして、第二溝３３ｂに収容されたエレメント９４は、一対の内鍔３２、３２によって第一溝３３ａへの移動を阻止されることから、溝３３の開口方向へは外れないようになっており、また、ファスナーテープ９３が両側の内鍔３２、３２に接触しながら蛇行する形状となり、恰も両側の内鍔３２、３２に挟まれた形態となる。
【００３７】
吸着体格納部４０は、より詳しく言えば、係止体としての磁石吸着体４を保有する係止体保有部であって、磁石吸着体４を挿入する口部４１ａを備える格納箱４１と、格納箱４１の口部４１ａを狭める爪４４とを備える。
【００３８】
格納箱４１は、断面矩形の角筒４２と、角筒４２の一端を閉鎖する閉鎖片４３とから構成され、角筒４２の他端が開口端となっている。また、格納箱４１は、内部空間のうち開口端側の部分が口部４１ａであり、それ以外の部分が磁石吸着体４の収容空間４１ｂである。また、一端が閉鎖された角筒４２の深さ方向が務歯ケース３１の溝３３の長さ方向と平行になっていると共に、角筒４２の矩形を構成する四辺部のうち二つの辺部４２ａ、４２ｂは、重なり合う方向に対向しており、そのうち重なり合う方向における内側の一辺部４２ａは、務歯ケース３１の一方の側壁部３１ａでもある。つまり、一つの壁を側壁部３１ａと辺部４２ａに兼用している。このため、側壁部３１ａを境にして両側に溝３３と、磁石吸着体４の収容空間４１ｂが位置することになる。また、前記四辺部のうち残りの二辺部のうち一辺部４２ｄと務歯ケース３１の底壁部３１ｂの互いの外周面は面一に形成され、残りの一辺部４２ｃと務歯ケース３１の内鍔３２の互いの外周面も面一に形成されている。従って、格納箱４１と務歯ケース３１とが面一となっている連結部材３は、外観上、１個の矩形状（断面の外形が矩形状となっている直方体状）の細長いケースとなっており、角筒４２の四辺部を外形の一部として含む状態で、外形全体を構成している。なお、前記四辺部のうち内鍔３２側の一辺部４２ｃと、ストリンガー取付部３０とは反対側の一辺部４２ｂは、底壁部３１ｂ側の一辺部４２ｄに比べて肉厚が薄くなっている。このように、格納箱４１の外部に面する三辺部４２ｂ、４２ｃ、４２ｄについて、肉厚に差を付けると、磁力が作用しやすい（吸着しやすい）辺部４２ｂ、４２ｃと、磁力が作用し難い辺部４２ｄができる。
【００３９】
爪４４は、角筒４２の開口端側の一辺部から口部４１ａを僅かに狭める方向に突出している。これによって、磁石吸着体４の収容空間４１ｂに挿入された磁石吸着体４を離脱不能に保持する。
【００４０】
上記した連結具２は、ストリンガー取付部３０と吸着体格納部４０とが重なり合っており、この重なり合う方向に交差する方向に溝３３が開口しているので、例えば重なり合う方向と溝３３の開口方向を同一方向とするものに比べて、連結具２の横幅（溝３３の開口方向に平行な横幅）を狭くすることができ、外観上、コンパクトな印象を与えられる。
【００４１】
上記した連結具２は、磁石吸着体４にどのようなものを用いるかによって、その使用態様が定まる。つまり、複数の連結具２、２を一揃えとして備える留め具１としての使用態様（実施形態）が定まる。
【００４２】
本考案の第１実施態様の留め具１は、図４、図５に示すように、一対の連結具２、２により構成される態様であり、各連結具２は、幅方向に離隔する一対のファスナーストリンガー９１、９１に対して対向して装着されるものである。
【００４３】
各連結具２を装着した初期状態、つまり装着初期状態について詳しく説明する。
まず、衣類の一対のファスナーストリンガー９１、９１の長手方向に各連結具２の溝３３の長さ方向を合わせる。このとき、一方の連結具２は、ストリンガー取付部３０が身体側（ファスナーテープ９３よりも身体側）を向くようにし、他方の連結具２は、吸着体格納部４０が身体側を向くようにする。
【００４４】
次に、各ファスナーストリンガー９１の端部へ向かって連結具２を溝３３の長さ方向に動かすことによって、第二溝３３ｂにはエレメント９４を、第一溝３３ａにはファスナーテープ９３をまとめて挿入する。これによって、各連結具２は、ファスナーストリンガー９１に装着される。その後、所望の位置まで各連結具２をファスナーストリンガー９１に沿って移動させ、一対のファスナーストリンガー９１、９１の対向する位置に一対の連結具２、２をそれぞれ装着する。これによって、一対の連結具２、２は、連結部材３、３同士が対向する状態になる。より詳しく言えば、矩形状である両方の連結部材３、３は、互いの溝３３の開口方向とは反対方向の辺部４２ｄ、４２ｄ側において対向するように離隔している。また、このとき、第一溝３３ａにはファスナーテープ９３が挟まれた状態となり、第二溝３３ｂにはエレメント９４が挟まれた状態となり、位置決めされる。
【００４５】
次に、各ファスナーストリンガー９１に装着された一対の連結具２、２を互いの磁石吸着体４、４同士によって吸着させる留め状態ついて詳しく説明する。
一方の連結具２を他方の連結具２に対して相対的に近づくように動かしながら、両方の連結具２、２が装着初期状態における連結部材３、３の対向面とは反対面において向かい合うようにする。すると、磁力によって、連結部材３の反対面において一対の吸着体格納部４０、４０同士が吸着し合う。つまり、連結部材３の反対面が吸着面となる。より詳しく言えば、両方の連結部材３、３は、互いの溝３３の開口方向の辺部４２ｃ、４２ｃにおいて吸着し合うことになる。ちなみに、この状態では、一対のファスナーテープ９３、９３は、その厚み方向に間隔をあけながら幅方向において部分的に重なり合うと共に、相手方の連結具２、２の吸着体格納部４０に面する状態となっている。
【００４６】
このような留め状態を可能とするには、例えば、各連結具２の磁石吸着体４を次のようにする。両方の磁石吸着体４、４に第１の磁石、第２の磁石を用いた場合には、磁石吸着体４の極性がファスナーテープ９３の幅方向に沿ってＮ、Ｓ、Ｎ、Ｓと並ぶようにする。また、一方の磁石吸着体４に第１の磁石を、他方の磁石吸着体４に磁性体を用いることも可能である。
【００４７】
留め具１の使用態様は、他にもあるが、その前に本考案の第１実施形態の連結具２の変形例について、説明する。
【００４８】
第１の変形例の連結具２は、図６に示すように、連結部材３の一対の内鍔３２において第一実施形態の連結具２と相違している。連結部材３は、各内鍔３２を１枚の突板部３２ｂとしたものである。より詳しく言えば、一対の内鍔３２は、務歯ケース３１の断面形状の両端部から突板部３２ｂを内向きに突出すると共に溝３３の長さ方向に沿って延長したものである。但し、突板部３２ｂは、務歯ケース３１に対して溝３３の長さ方向全長のうち両端部を除いた領域に亘って延長しており、それゆえ、務歯ケース３１は、溝３３の長さ方向両端部においては、溝３３の入口側における溝幅が広くなっている。この溝幅が広い部分から、ファスナーストリンガー９１の長手方向の端部を挿入し易くしてある。
【００４９】
第２の変形例の連結具２は、図７に示すように、連結部材３の構成要素において、第一実施形態の連結具２と相違している。連結部材３は、装飾部５０を、ストリンガー取付部３０と吸着体格納部４０の他に備えている。具体的には、装飾部５０は、星型の板であって、務歯ケース３１における２枚の側壁部３１ａのうち、外側のほうに（吸着体格納部４０とは反対側の側壁部３１ａに）固定されている。
【００５０】
第３の変形例の連結具２は、図８に示すように、装飾部５０の形態において、第２の変形例の連結具２と相違している。具体的には、装飾部５０は、単なる平面的な板ではなく、厚みに変化のある立体的な物体（星型）である。
【００５１】
第４の変形例の連結具２は、図９に示すように、連結部材３に文字、図形、記号、若しくはこれらの結合又はこれらと色彩との結合を付したことにおいて、第１実施形態の連結具２と相違している。具体的には、Ａ、Ｂ、Ｃの文字が務歯ケース３１の表面（吸着体格納部４０とは反対側の側壁部３１ａの表面）に付されている。
【００５２】
第５の変形例で用いる一対の連結具２、２は、図１０に示すように、一対の連結部材３、３に吸着時の位置決め部３１ｃ、３１ｄをそれぞれ設けていることにおいて、第１実施形態の連結具２と相違している。具体的には、各連結部材３の吸着体格納部４０は、吸着面（より詳しく言えば、角筒４２を構成する４つの辺部のうち、溝３３の入口側の一辺部４２ｃの表面）における対向箇所に位置決め部３１ｃ、３１ｄを備えている。一方の連結部材３の吸着体格納部４０は、その吸着面に表面が周囲よりも窪んだ凹部を位置決め部３１ｃとして備え、他方の連結部材３の吸着体格納部４０は、その吸着面に表面が周囲よりも突出した凸部を位置決め部３１ｄとして、凹部の対向箇所に備えている。これら凹部と凸部は、例えば、各連結具２の溝３３の長さ方向に沿って平行に延長している。そして、凹部と凸部とが嵌合することによって各連結具２は、吸着時における位置が定まる。
【００５３】
第６の変形例の連結具２は、図１１に示すように、その全長、つまり溝３３の長さ方向の全長を短くしていることにおいて、第１実施形態の連結具２と相違している。そして、その全長に比例して連結部材３及び磁石吸着体４が短くなっていることは勿論、各内鍔３２を構成する突部３２ａの個数が少なくなっており、図では、片方の内鍔３２の突部３２ａは２個、もう一方の内鍔３２の突部３２ａは１個となっている。以上で、第１実施形態の連結具２の変形例についての説明を終わり、留め具１としての他の実施形態について、以下、説明する。
【００５４】
本考案の第２実施形態の留め具１は、図１２に示すように、一対の連結具２、２の留め状態において、より詳しく言えば、一対の連結具２、２の吸着体格納部４０、４０同士が吸着し合う方向がストリンガー取付部３０と吸着体格納部４０との重なり合う方向であることにおいて、第１実施形態の留め具１と相違する。
【００５５】
このような留め状態を可能とするには、例えば、各連結具２の磁石吸着体４を次のようにする。両方の磁石吸着体４、４に第１、第２の磁石を用いる場合には、一方の磁石吸着体４の極性を図面での左から右にＮ、Ｓ、他方の磁石吸着体４の磁性が左から右にＳ、Ｎと並ぶようにする。
【００５６】
本考案の第３実施形態の留め具１は、図１３に示すように、一対の連結具２、２の装着初期状態、及び留め状態において、第１実施形態の留め具１と相違する。つまり、装着初期状態においては、両方の連結具２、２を、何れも吸着体格納部４０が身体側を向くようにして、幅方向に離隔している一対のファスナーストリンガー９１、９１に装着する。また、留め状態においては、装着初期状態において一対の連結部材３、３の対向面となっている吸着体格納部４０、４０同士の対向面が吸着面となって、吸着体格納部４０、４０同士がファスナーテープ９３の幅方向に並列する状態で吸着し合う。
【００５７】
このような留め状態を可能とするには、例えば、各連結具２の磁石吸着体４を次のようにする。両方の磁石吸着体４、４に第１、第２の磁石を用いる場合には、留め状態において、一方の磁石吸着体４の極性を左から右にＮ、Ｓ、他方の磁石吸着体４の磁性が左から右にＮ、Ｓと並ぶようにする。
【００５８】
本考案の第４実施形態の留め具１は、図１４、図１５に示すように、１つのスライドファスナー９０に対して、第１実施形態の留め具１と併用して用いられており、一揃えとなる一組の連結具２の個数、一対のファスナーストリンガー９１、９１に対して各連結具２を装着する位置、及び留め状態において、第１実施形態の留め具１と相違する。つまり、第４実施形態の留め具１は、一揃えとする連結具２の個数が２個以上（図示の例では３個）であり、一対のファスナーテープ９３、９３に対して、千鳥足状に連結具２を装着している。そして、留め状態においては、各連結具２の吸着体格納部４０がファスナーテープ９３の長手方向に沿って一直線に並びながら、並んだ磁石吸着体４、４同士が吸着し合う。従って、この場合においては、吸着体格納部４０の吸着面は、溝３３の長さ方向の両面となる。
【００５９】
このような留め状態を可能とするには、例えば、３つの連結具２の磁石吸着体４を次のようにする。各磁石吸着体４に第１、第２、第３の磁石を用いる場合には、吸着状態における並び順に、各磁石吸着体４の極性をファスナーテープ９３の長手方向の一方向に沿ってＮ、Ｓと並ぶようにする。以上で、第１実施形態の連結具２を用いた留め具１についての実施形態の説明を終わる。
【００６０】
次に、本考案の第２実施形態の連結具２は、図１６に示すように、ストリンガー取付部３０と吸着体格納部４０の重なり合う方向が溝３３の開口方向に一致していることにおいて、第１実施形態の連結具２と相違している。この場合、ファスナーストリンガー９１への装着初期状態において、吸着体格納部４０は、ファスナーテープ９３の幅方向において、エレメント９４よりも内側に位置することなり、溝３３の開口方向と反対側の面が吸着面となる。
そして、この連結具２を２つで一揃えとする第５実施形態の留め具１は、留め状態において、対向する１対のファスナーストリンガー９１、９１の間に２つの磁石吸着体４、４が介在する状態となることにおいて、第１実施形態の留め具１と相違する。
【００６１】
次に、本考案の第３実施形態の連結具２は、図１７（Ａ）（Ｂ）に示すように、嵌合方式の一方式の一体である係止体としての雄体４ａ又は雌体４ｂを連結部材３が保有することにおいて、第１実施形態の連結具２と相違している。図示の例では、連結部材３は、溝３３の開口側の面に、雄体４ａ又は雌体４ｂが所定間隔おきに設けられている。より詳しく言えば、連結部材３は、第１実施形態の吸着体格納部４０の代わりに、係止体保有部としてのブロック部４０ａをストリンガー取付部３０と共に備えている。ブロック部４０ａは、溝３３の開口側の面に、雄体４ａ又は雌体４ｂを備えている。雄体４ａは、連結部材３から突出する棒状部４ａ１と、棒状部４ａ１の先端において大きく膨らんだ膨大部４ａ２とから構成されている。一方、雌体４ｂは、凹部であって、入口側が棒状部４ａ１よりも僅かに大きく、その奥部が膨大部４ａ２よりも僅かに大きく形成されている。
【００６２】
そして、これら第３実施形態の連結具２を一揃えとする第６実施形態の留め具１は、図１７（Ｃ）、（Ｄ）に示すように、留め状態において、雄体４ａの膨大部４ａ２が雌体４ｂの凹部の奥部に弾性を利用して嵌り込む。
【００６３】
次に、本考案の第４実施形態の連結具２は、図１８（Ａ）（Ｂ）に示すように、嵌合方式の一方式であるスナップボタン方式の一体である係止体としての雄体４ｃ又は雌体４ｄを連結部材３が保有することにおいて、第１実施形態の連結具２と相違している。図示の例では、連結部材３は、溝３３の開口側の面に、雄体４ｃ又は雌体４ｄが設けられている。より詳しく言えば、連結部材３は、第３実施形態と同様にブロック部４０ａを備えており、ブロック部４０ａにおける溝３３の開口側に雄体４ｃ及び雌体４ｄの基部が各連結部材３に埋設され、雄体４ｃ及び雌体４ｄの先部が突出している。
【００６４】
そして、これら第４実施形態の連結具２を２つで一揃えとする第７実施形態の留め具１は、留め状態において、雄体４ｃの先部が雌体４ｄの先部の内側に弾性を利用して嵌り込む。
【００６５】
次に、本考案の第５実施形態の連結具２は、図１９（Ａ）に示すように、面ファスナー方式の一体である係止体としてのフック体４ｅを連結部材３が保有することにおいて、第１実施形態の連結具２と相違している。図示の例では、連結部材３は、溝３３の開口側の面においてそのほぼ全面に亘って多数のフック体４ｅが設けられている。より詳しく言えば、連結部材３は、第３実施形態と同様にブロック部４０ａを備えており、ブロック部４０ａにおける溝３３の開口側の面からフック体４ｅを多数突出している。図示の例では、連結部材３は、これら多数のフック体４ｅを、一体成型で成型しているが、これに限らず、多数のフック体を植設した別の基布をブロック部４０ａに貼り付ける等しても良い。そして、この第３実施形態の連結具２は、面ファスナー方式のもう一体であるフック体又はループ体を有する部材と連結可能である。
【００６６】
そして、図１９（Ｂ）、（Ｃ）に示すように、フック体４ｅと連結部材３を備える連結具２を二つで一揃えとする第８実施形態の留め具１が、着脱可能に連結するようになっている。
【００６７】
次に、本考案の連結具２をより使い易くするカバー７について説明する。連結具２の外側を構成する連結部材３は、前述したように、矩形状の細長いケースであり、この周囲に着脱可能に装着する。より詳しく言えばカバー７は、図２０〜図２２に示すように、連結具２を挟むようにして装着するカバー本体７１と、カバー本体７１から外側に突出する摘み７２とから構成される。
【００６８】
カバー本体７１は、連結部材３の溝３３以外の面をコ字状に覆う第１外片７１ａ、第２外片７１ｂ、第３外片７１ｃを備え、対向する第１外片７１ａと第３外片７１ｃとが開口方向に向かって幅狭になっている。また、第１外片７１ａの先端部には押付部７１ｅが第３外片７１ｃに向かって突出している。この押付部７１ｅの先端が連結部材３の一面を押し込むことにより、第１外片７１ａと第３外片７１ｃの間に連結部材３を挟みこむようにしてある。また、第３外片７１ｃの先端には連結部材３の溝３３側の面を覆う第４外片７１ｄを備えており、第４外片７１ｄの突出長は、連結具２（連結部材３）の溝３３の通路３３ｃに達しないようにしてある。なお、第２外片７１ｂの外側には摘み７２が突出している。
【００６９】
図２１に示すように、幅方向に離隔する一対のファスナーストリンガー９１、９１の対向する位置に連結具２をそれぞれ装着し、これら連結具２に対してカバー７をそれぞれ装着すると、双方のカバー７の摘み７２が対向する状態になる。この摘み７２をつまむことにより、第１実施形態の留め具１と同様の留め方が容易に行える。そして、図２２に示すように、留め状態においては、双方のカバー７は、全く干渉することなく、連結具２、２同士の連結には影響を与えない。
【００７０】
次に、本考案の連結具２の取付対象として用いられる一例の鞄８について先に述べる。鞄８は、図２３に示すように、上側に物を出し入れする口部を有する鞄本体８１と、鞄本体８１の口部を塞ぐ蓋８２と、蓋８２の先部を鞄本体８１に留めるためのスナップボタンとから構成される。スナップボタンは、磁石吸着体であって、図示の例では、雌体６ｂが蓋８２の先部に取り付けられ、雄体６ａが鞄本体８１の表板に取り付けられている。また、蓋８２の縁部にはパイピングテープ８２ｂが設けられている。より詳しく言えば、パイピングテープ８２ｂは、蓋本体８２ａよりも肉厚の芯材８２ｃと、縁取り部材８２ｄとから構成されている。そして、縁取り部材８２ｄは、芯材８２ｃの外側をほぼ覆う断面Ｃ字状の被覆部８２ｅと、被覆部８２ｅのＣ字の両端から延長する接合部８２ｆとから構成されており、この接合部８２ｆが蓋本体８２ａの縁に縫着等されて固定されている。これによって、このパイピングテープ８２ｂが帯状物となる。
【００７１】
そして例えば、スナップボタンの雌体６ｂが壊れて、雌体６ｂとしての機能を果たせなくなった場合には、その代わりに本考案の連結具２を用いることができる。この場合、連結部材３は、第１実施形態でのストリンガー取付部３０の代わりに、それと同じ構成のパイピングテープ取付部３０ａを帯状物取付部として備える。そして、図２３（Ｂ）に示すように、パイピングテープ取付部３０ａによって雌体６ｂの下側に位置する部分でパイピングテープ８２ｂに連結具２を装着し、連結具２の磁石吸着体４の吸着力により、スナップボタンの雄体６ａに連結することが可能となる。
【００７２】
また、図２３（Ｄ）に示すように、連結具２をスナップボタンとは全く関係の無い位置においてパイピングテープ８２ｂに装着しても良く、この場合、磁石吸着体４が表面側を向くようにしておけば、磁石吸着体４に他の磁石吸着体４を吸着させることもできる。他の磁石吸着体４が装飾性を有するものであれば、意匠性を向上させることができ、連結具２を留め具１としてではなく、装飾物を取り付けるための土台として用いることもできる。
【００７３】
なお、本考案の連結具２の取付対象としてコードが用いられる場合もある。この場合、コードは、帯状物そのものである。この場合、連結部材３は、第１実施形態との代わりに、それと同じ構成のコード取付部３０ｂを帯状物取付部として備える。そして、図２４に示すように、二本のコード５を横に並べ、コード取付部３０ｂの溝３３から各コード５を挿入して、第一溝３３ａを一時的に通過させて第二溝３３ｂにコード５を収容することによって各コード５の対向する位置に連結具２を装着すれば、これら２つの連結具２を磁石吸着体４、４の吸着力によって連結することができる。しかも、この場合、双方の連結具２は、溝３３の開口方向を対向させた状態とすることができる。因みに、第二溝３３ｂにコード５が嵌合する状態となっており、これによりコード５の長手方向に連結具２が移動しづらい状態となっている。
【００７４】
本考案は上記実施形態に限定されるものではなく、その趣旨を逸脱しない範囲において適宜変更可能である。例えば、連結具２の寸法は、エレメント９４を多数収容するように、第１実施形態の連結具２よりも長いものであっても良い。また、吸着体格納部４０の吸着面は、一面だけでなく、複数面であっても良い。さらに、ストリンガー取付部３０に設ける内鍔３２は、溝３３の入口側における溝幅方向の両外側部位に設けるものに限らず、両外側部位のうち片側のみに設けるものであっても良い。
【符号の説明】
【００７５】
１  留め具
２  連結具
３  連結部材
３０  ストリンガー取付部（帯状物取付部）
３０ａ  パイピングテープ取付部（帯状物取付部）
３０ｂ  コード取付部（帯状物取付部）
３１  務歯ケース
３１ａ  側壁部
３１ｂ  底壁部
３１ｃ  位置決め部
３１ｄ  位置決め部
３２  内鍔
３２ａ  突部
３２ｂ  突板部
３３  溝
３３ａ  第一溝
３３ｂ  第二溝
３３ｃ  通路
４０  吸着体格納部（係止体保有部）
４０ａ  ブロック部（係止体保有部）
４１  格納箱
４１ａ  口部
４１ｂ  磁石吸着体の収容空間
４２  角筒
４２ａ、４２ｂ、４２ｃ、４２ｄ  辺部
４３  閉鎖片
４４  爪
５０装飾部
４  磁石吸着体（係止体）
４ａ  雄体（係止体）
４ａ１  棒状部
４ａ２  膨大部
４ｂ  雌体（係止体）
４ｃ  雄体（係止体）
４ｄ  雌体（係止体）
４ｅ  フック体
５  コード（帯状物）
６ａ  雄体
６ｂ  雌体
７  カバー
７１  カバー本体
７１ａ  第１外片
７１ｂ  第２外片
７１ｃ  第３外片
７１ｄ  第４外片
７１ｅ  押付部
７２  摘み
８  鞄
８１  鞄本体
８２  蓋
８２ａ  蓋本体
８２ｂ  パイピングテープ（帯状物）
８２ｃ  芯材
８２ｄ  縁取り部材
８２ｅ  被覆部
８２ｆ  接合部
９０  スライドファスナー
９１  ファスナーストリンガー
９２  スライダー
９３  ファスナーテープ
９４  エレメント
９４ａ  エレメント列（帯状物）
９５  上止め具
９６  下止め具
９６ａ  蝶棒
９６ｂ  箱棒
９６ｃ  箱体
【図１】
0003181331.tif 000003
【図２】
0003181331.tif 000004
【図３】
0003181331.tif 000005
【図４】
0003181331.tif 000006
【図５】
0003181331.tif 000007
【図６】
0003181331.tif 000008
【図７】
0003181331.tif 000009
【図８】
0003181331.tif 000010
【図９】
0003181331.tif 000011
【図１０】
0003181331.tif 000012
【図１１】
0003181331.tif 000013
【図１２】
0003181331.tif 000014
【図１３】
0003181331.tif 000015
【図１４】
0003181331.tif 000016
【図１５】
0003181331.tif 000017
【図１６】
0003181331.tif 000018
【図１７】
0003181331.tif 000019
【図１８】
0003181331.tif 000020
【図１９】
0003181331.tif 000021
【図２０】
0003181331.tif 000022
【図２１】
0003181331.tif 000023
【図２２】
0003181331.tif 000024
【図２３】
0003181331.tif 000025
【図２４】
0003181331.tif 000026